(57)【要約】  ディスプレイ装置が開示される。本ディスプレイ装置は、ディスプレイ部と、複数の電子装置と通信を行い、複数の電子装置それぞれの使用情報を受信する通信部と、使用情報に応じて生成される使用パターン情報を複数の時間区間別に区分して保存する保存部と、任意のイベントが発生すると、イベントに対応する時間区間の使用パターン情報を保存部から検出し、使用パターン情報の内容に応じて可変的なＵＩ画面を構成してディスプレイ部にディスプレイする制御部とを含む。それにより、ユーザの便宜性が向上する。
2017529621.tif 000002
【特許請求の範囲】
【請求項１】
ディスプレイ部と、
複数の電子装置と通信を行い、前記複数の電子装置それぞれの使用情報を受信する通信部と、
前記使用情報に応じて生成される使用パターン情報を複数の時間区間別に区分して保存する保存部と、
任意のイベントが発生すると、前記イベントに対応する時間区間の使用パターン情報を前記保存部から検出し、前記使用パターン情報の内容に応じて可変的なＵＩ画面を構成して前記ディスプレイ部にディスプレイする制御部と
を含むディスプレイ装置。
【請求項２】
前記制御部は、
前記複数の電子装置のうち、同一の電子装置から特定時間区間の間に前記使用情報が予め設定された回数以上に複数回伝送されると、前記複数回伝送された使用情報に基づいて前記電子装置の使用パターン情報を生成することを特徴とする請求項１に記載のディスプレイ装置。
【請求項３】
前記複数の電子装置は、デジタルドアロック及び家電製品を含み、
前記使用パターン情報は、前記デジタルドアロックのオープン時間から予め設定された第１時間以内に前記家電製品が使用されるパターンを記録した情報であり、
前記制御部は、
前記デジタルドアロックがオープンされた後、前記第１時間以内に前記家電製品が使用されるイベントが発生すると、前記家電製品に関連する広告コンテンツを含む前記ＵＩ画面を前記ディスプレイ部にディスプレイすることを特徴とする請求項１に記載のディスプレイ装置。
【請求項４】
前記家電製品が冷蔵庫である場合、
前記制御部は、
前記デジタルドアロックがオープンされた後、前記第１時間以内に前記冷蔵庫がオープンされ、前記冷蔵庫の特定区域に対する利用事実が検知されると、前記区域内に配置された製品に対する広告コンテンツをディスプレイすることを特徴とする請求項３に記載のディスプレイ装置。
【請求項５】
前記複数の電子装置は、電話装置を含み、
前記使用パターン情報は、特定時間区間の間に前記電話装置が同一の連絡先に予め設定された回数以上発信された履歴を記録した情報であり、
前記制御部は、
前記特定時間区間が到来すると、前記連絡先を含むＵＩ画面を前記ディスプレイ部にディスプレイすることを特徴とする請求項１に記載のディスプレイ装置。
【請求項６】
前記複数の電子装置は、デジタルドアロック及び電話装置を含み、
前記使用パターン情報は、前記デジタルドアロックのオープン時間から予め設定された第１時間以内に前記ディスプレイ装置がターンオンされるパターンを記録した情報であり、
前記制御部は、
前記デジタルドアロックがオープンされた後、予め設定された第１時間以内に前記ディスプレイ装置がターンオンされるイベントが発生すると、前記電話装置の留守電情報を含む前記ＵＩ画面をディスプレイすることを特徴とする請求項１に記載のディスプレイ装置。
【請求項７】
前記制御部は、
前記ディスプレイ装置がターンオンされる度に、前記複数の電子装置に新規使用情報を要請し、前記新規使用情報を受信して前記保存部に保存することを特徴とする請求項１に記載のディスプレイ装置。
【請求項８】
前記制御部は、
前記複数の電子装置から新規使用情報が受信される際に前記ディスプレイ部でディスプレイされていたコンテンツのメタデータと前記新規使用情報とをマッチングさせ、前記保存部に保存することを特徴とする請求項１に記載のディスプレイ装置。
【請求項９】
複数の電子装置と通信を行い、前記複数の電子装置それぞれの使用情報を受信するステップと、
前記使用情報に応じて生成される使用パターン情報を複数の時間区間別に区分して保存するステップと、
任意のイベントが発生すると、前記イベントに対応する時間区間の使用パターン情報を検出するステップと、
前記使用パターン情報の内容に応じて可変的なＵＩ画面を構成してディスプレイするステップと
を含むディスプレイ装置のＵＩ提供方法。
【請求項１０】
前記複数の電子装置のうち、同一の電子装置から特定時間区間の間に前記使用情報が予め設定された回数以上に複数回伝送されると、前記複数回伝送された使用情報に基づいて前記電子装置の使用パターン情報を生成するステップを更に含むことを特徴とする請求項９に記載のディスプレイ装置のＵＩ提供方法。
【請求項１１】
前記複数の電子装置は、デジタルドアロック及び家電製品を含み、
前記使用パターン情報は、前記デジタルドアロックのオープン時間から予め設定された第１時間以内に前記家電製品が使用されるパターンを記録した情報であり、
前記ＵＩ画面を構成してディスプレイするステップは、
前記デジタルドアロックがオープンされた後、前記第１時間以内に前記家電製品が使用されるイベントが発生すると、前記家電製品に関連する広告コンテンツを含む前記ＵＩ画面をディスプレイすることを特徴とする請求項９に記載のディスプレイ装置のＵＩ提供方法。
【請求項１２】
前記家電製品が冷蔵庫である場合、
前記ＵＩ画面を構成してディスプレイするステップは、
前記デジタルドアロックがオープンされた後、前記第１時間以内に前記冷蔵庫がオープンされ、前記冷蔵庫の特定区域に対する利用事実が検知されると、前記区域内に配置された製品に対する広告コンテンツをディスプレイすることを特徴とする請求項１１に記載のディスプレイ装置のＵＩ提供方法。
【請求項１３】
前記複数の電子装置は、電話装置を含み、
前記使用パターン情報は、特定時間区間の間に前記電話装置が同一の連絡先に予め設定された回数以上発信された履歴を記録した情報であり、
前記ＵＩ画面を構成してディスプレイするステップは、
前記特定時間区間が到来すると、前記連絡先を含むＵＩ画面をディスプレイすることを特徴とする請求項９に記載のディスプレイ装置のＵＩ提供方法。
【請求項１４】
前記複数の電子装置は、デジタルドアロック及び電話装置を含み、
前記使用パターン情報は、前記デジタルドアロックのオープン時間から予め設定された第１時間以内に前記ディスプレイ装置がターンオンされるパターンを記録した情報であり、
前記ＵＩ画面を構成してディスプレイするステップは、
前記デジタルドアロックがオープンされた後、予め設定された第１時間以内に前記ディスプレイ装置がターンオンされるイベントが発生すると、前記電話装置の留守電情報を含む前記ＵＩ画面をディスプレイすることを特徴とする請求項９に記載のディスプレイ装置のＵＩ提供方法。
【請求項１５】
前記使用パターン情報を保存するステップは、
前記ディスプレイ装置がターンオンされる度に、前記複数の電子装置に新規使用情報を要請し、前記新規使用情報を受信して保存することを特徴とする請求項９に記載のディスプレイ装置のＵＩ提供方法。
【発明の詳細な説明】
【技術分野】
【０００１】
本発明は、ＵＩ提供のためのディスプレイ装置、システム及びその提供方法に関し、より詳細には、複数の電子装置の使用パターン情報の内容に応じて可変的なＵＩ画面を提供するためのディスプレイ装置、システム及びその提供方法に関する。
【背景技術】
【０００２】
電子技術の発展により、多様な電子製品が開発及び普及されている。特に、携帯電話、パソコン、ノートパソコン、ＰＤＡ、タブレットパソコンなどのような各種通信機能が備えられたディスプレイ装置が殆どの一般家庭でも使用されている。
【０００３】
更に、従来は通信機能がなかった電子製品にも通信機能が備えられてインターネットが可能な電子製品が発売されている。それにより、全ての電子製品をネットワークに接続し、人と電子製品との間にいつどこでも相互通じられるようにする新たな情報通信基盤を構築しようとする研究が続けられている。
【０００４】
このような通信機能が備えられた電子製品はユビキタス空間を実現するための前提とみなすことができる。このようなユビキタス空間は、特定機能が内蔵されたコンピューティング機器が環境と物とに備えられ、環境や物そのものが知能化することから始まる。
【０００５】
しかし、ユビキタス空間を実現して提供するサービスに対する具体的なモデルは正立されておらず、現在はモバイル装置などを用いて別の電子製品を簡単に制御する程度に留まっている。
【０００６】
なお、現在は、別の電子製品の状態のみを提供し、それによるユーザの直接的な制御が必要である。すなわち、ユーザの使用パターンを反映してサービスを提供することができないという問題点がある。
【発明の概要】
【発明が解決しようとする課題】
【０００７】
そこで、本発明は、上記問題に鑑みてなされたものであり、本発明の目的とするところは、複数の電子装置の使用情報を保存し、それに基づいて使用パターン情報を生成し、任意のイベントが発生すると、使用パターン情報に基づいて可変的なＵＩ画面を提供するためのディスプレイ装置、システム及びその提供方法を提供することにある。
【課題を解決するための手段】
【０００８】
以上のような目的を達成するための本発明の一実施形態に係るディスプレイ装置は、ディスプレイ部と、複数の電子装置と通信を行い、前記複数の電子装置それぞれの使用情報を受信する通信部と、前記使用情報に応じて生成される使用パターン情報を複数の時間区間別に区分して保存する保存部と、任意のイベントが発生すると、前記イベントに対応する時間区間の使用パターン情報を前記保存部から検出し、前記使用パターン情報の内容に応じて可変的なＵＩ画面を構成して前記ディスプレイ部にディスプレイする制御部とを含む。
【０００９】
なお、前記制御部は、前記複数の電子装置のうち、同一の電子装置から特定時間区間の間に前記使用情報が予め設定された回数以上に複数回伝送されると、前記複数回伝送された使用情報に基づいて前記電子装置の使用パターン情報を生成してよい。
【００１０】
そして、前記複数の電子装置は、デジタルドアロック及び家電製品を含み、前記使用パターン情報は、前記デジタルドアロックのオープン時間から予め設定された第１時間以内に前記家電製品が使用されるパターンを記録した情報であり、前記制御部は、前記デジタルドアロックがオープンされた後、前記第１時間以内に前記家電製品が使用されるイベントが発生すると、前記家電製品に関連する広告コンテンツを含む前記ＵＩ画面を前記ディスプレイ部にディスプレイしてよい。
【００１１】
なお、前記家電製品が冷蔵庫である場合、前記制御部は、前記デジタルドアロックがオープンされた後、前記第１時間以内に前記冷蔵庫がオープンされ、前記冷蔵庫の特定区域に対する利用事実が検知されると、前記区域内に配置された製品に対する広告コンテンツをディスプレイしてよい。
【００１２】
そして、前記複数の電子装置は、電話装置を含み、前記使用パターン情報は、特定時間区間の間に前記電話装置が同一の連絡先に予め設定された回数以上発信された履歴を記録した情報であり、前記制御部は、前記特定時間区間が到来すると、前記連絡先を含むＵＩ画面を前記ディスプレイ部にディスプレイしてよい。
【００１３】
なお、前記複数の電子装置は、デジタルドアロック及び電話装置を含み、前記使用パターン情報は、前記デジタルドアロックのオープン時間から予め設定された第１時間以内に前記ディスプレイ装置がターンオンされるパターンを記録した情報であり、前記制御部は、前記デジタルドアロックがオープンされた後、予め設定された第１時間以内に前記ディスプレイ装置がターンオンされるイベントが発生すると、前記電話装置の留守電情報を含む前記ＵＩ画面をディスプレイしてよい。
【００１４】
そして、前記制御部は、前記ディスプレイ装置がターンオンされる度に、前記複数の電子装置に新規使用情報を要請し、前記新規使用情報を受信して前記保存部に保存してよい。
【００１５】
なお、前記制御部は、前記複数の電子装置から新規使用情報が受信される際に前記ディスプレイ部でディスプレイされていたコンテンツのメタデータと前記新規使用情報とをマッチングさせ、前記保存部に保存してよい。
【００１６】
一方、以上のような目的を達成するための本発明の一実施形態に係るＵＩ提供システムは、複数の電子装置及び前記複数の電子装置それぞれの使用情報を受信し、前記使用情報を組み合わせて使用パターン情報を生成し、前記使用パターン情報を複数の時間区間別に区分して保存するディスプレイ装置を含み、前記ディスプレイ装置は、任意のイベントが発生すると、前記イベントに対応する時間区間の使用パターン情報及び前記イベントの内容に応じて可変的なＵＩ画面をディスプレイしてよい。
【００１７】
なお、前記複数の電子装置はデジタルドアロック及び冷蔵庫を含み、前記使用パターン情報は、前記デジタルドアロックのオープン時間から予め設定された第１時間以内に前記冷蔵庫がオープンされるパターンを記録した情報であり、前記ディスプレイ装置は、前記デジタルドアロックがオープンされた後、前記第１時間以内に前記冷蔵庫がオープンされて前記冷蔵庫の特定区域に対する利用事実が検知されると、前記区域内に配置された製品に対する広告コンテンツをディスプレイしてよい。
【００１８】
そして、前記複数の電子装置は、電話装置を含み、前記使用パターン情報は、特定時間区間の間に前記電話装置が同一の連絡先に予め設定された回数以上発信された履歴を記録した情報であり、前記ディスプレイ装置は、前記特定時間区間が到来すると、前記連絡先を含むＵＩ画面を前記ディスプレイ部にディスプレイしてよい。
【００１９】
なお、前記複数の電子装置は、デジタルドアロック及び電話装置を含み、前記使用パターン情報は、前記デジタルドアロックのオープン時間から予め設定された第１時間以内に前記ディスプレイ装置がターンオンされるパターンを記録した情報であり、前記ディスプレイ装置は、前記デジタルドアロックがオープンされた後、予め設定された第１時間以内に前記ディスプレイ装置がターンオンされるイベントが発生すると、前記電話装置の留守電情報を含む前記ＵＩ画面をディスプレイしてよい。
【００２０】
一方、以上のような目的を達成するための本発明の一実施形態に係るディスプレイ装置のＵＩ提供方法は、複数の電子装置と通信を行い、前記複数の電子装置それぞれの使用情報を受信するステップと、前記使用情報に応じて生成される使用パターン情報を複数の時間区間別に区分して保存するステップと、任意のイベントが発生すると、前記イベントに対応する時間区間の使用パターン情報を検出するステップと、前記使用パターン情報の内容に応じて可変的なＵＩ画面を構成してディスプレイするステップとを含む。
【００２１】
なお、前記複数の電子装置のうち、同一の電子装置から特定時間区間の間に前記使用情報が予め設定された回数以上に複数回伝送されると、前記複数回伝送された使用情報に基づいて前記電子装置の使用パターン情報を生成するステップを更に含んでよい。
【００２２】
そして、前記複数の電子装置は、デジタルドアロック及び家電製品を含み、前記使用パターン情報は、前記デジタルドアロックのオープン時間から予め設定された第１時間以内に前記家電製品が使用されるパターンを記録した情報であり、前記ＵＩ画面を構成してディスプレイするステップは、前記デジタルドアロックがオープンされた後、前記第１時間以内に前記家電製品が使用されるイベントが発生すると、前記家電製品に関連する広告コンテンツを含む前記ＵＩ画面をディスプレイしてよい。
【００２３】
なお、前記家電製品が冷蔵庫である場合、前記ＵＩ画面を構成してディスプレイするステップは、前記デジタルドアロックがオープンされた後、前記第１時間以内に前記冷蔵庫がオープンされ、前記冷蔵庫の特定区域に対する利用事実が検知されると、前記区域内に配置された製品に対する広告コンテンツをディスプレイしてよい。
【００２４】
そして、前記複数の電子装置は、電話装置を含み、前記使用パターン情報は、特定時間区間の間に前記電話装置が同一の連絡先に予め設定された回数以上発信された履歴を記録した情報であり、前記ＵＩ画面を構成してディスプレイするステップは、前記特定時間区間が到来すると、前記連絡先を含むＵＩ画面をディスプレイしてよい。
【００２５】
なお、前記複数の電子装置は、デジタルドアロック及び電話装置を含み、前記使用パターン情報は、前記デジタルドアロックのオープン時間から予め設定された第１時間以内に前記ディスプレイ装置がターンオンされるパターンを記録した情報であり、前記ＵＩ画面を構成してディスプレイするステップは、前記デジタルドアロックがオープンされた後、予め設定された第１時間以内に前記ディスプレイ装置がターンオンされるイベントが発生すると、前記電話装置の留守電情報を含む前記ＵＩ画面をディスプレイしてよい。
【００２６】
そして、前記使用パターン情報を保存するステップは、前記ディスプレイ装置がターンオンされる度に、前記複数の電子装置に新規使用情報を要請し、前記新規使用情報を受信して保存してよい。
【００２７】
なお、前記使用パターン情報を保存するステップは、前記複数の電子装置から新規使用情報が受信される際に前記ディスプレイされていたコンテンツのメタデータと前記新規使用情報とをマッチングさせて保存してよい。
【発明の効果】
【００２８】
以上説明したように、本発明によれば、ディスプレイ装置は複数の電子装置に関連する使用情報に基づいて生成された使用パターン情報に応じてユーザに多様なＵＩ画面を提供することができるようになり、ユーザの満足度を向上させることができる。
【図面の簡単な説明】
【００２９】
【図１】本発明の一実施形態に係るＵＩ提供システムを示す図である。
【図２Ａ】本発明の一実施形態に係るディスプレイ装置の構成を示すブロック図である。
【図２Ｂ】本発明の一実施形態に係るディスプレイ装置の構成を示すブロック図である。
【図３Ａ】本発明の一実施形態に係る使用パターン情報を生成することを説明するための図である。
【図３Ｂ】本発明の一実施形態に係る使用パターン情報を生成することを説明するための図である。
【図４】本発明の一実施形態に係るＵＩ画面を構成する方法を説明するための図である。
【図５Ａ】本発明の一実施形態に係る電話装置によるＵＩ画面を構成する方法を説明するための図である。
【図５Ｂ】本発明の一実施形態に係る電話装置によるＵＩ画面を構成する方法を説明するための図である。
【図５Ｃ】本発明の一実施形態に係る電話装置によるＵＩ画面を構成する方法を説明するための図である。
【図６】本発明の一実施形態に係る複数の電子装置の相互作用によるＵＩ画面を生成する方法を説明するための図である。
【図７】本発明の一実施形態に係るエアコンによるＵＩ画面を構成する方法を説明するための図である。
【図８】本発明の一実施形態に係る掃除機によるＵＩ画面を構成する方法を説明するための図である。
【図９】本発明の一実施形態に係る新規使用情報を要請する過程を説明するためのシーケンス図である。
【図１０】本発明の一実施形態に係る使用情報を保存する方法を説明するための図である。
【図１１】本発明の一実施形態に係るディスプレイ装置のＵＩ提供方法を説明するための図である。
【図１２】本発明の一実施形態に係る可変的なＵＩ画面をディスプレイする方法を説明するためのシーケンス図である。
【図１３】本発明の一実施形態に係るデジタルドアロックと冷蔵庫とを用いた可変的なＵＩ画面をディスプレイする方法を説明するための図である。
【図１４】本発明の一実施形態に係る電子装置を用いた可変的なＵＩ画面をディスプレイする方法を説明するための図である。
【図１５】本発明の一実施形態に係るデジタルドアロックと電話装置とを用いた可変的なＵＩ画面をディスプレイする方法を説明するための図である。
【発明を実施するための形態】
【００３０】
以下に添付図面を参照しながら、本発明の好適な実施形態について詳細に説明する。図１は、本発明の一実施形態に係るＵＩ提供システムを示す図である。図１に示すように、ＵＩ提供システムは、ディスプレイ装置１００及び複数の電子装置を含む。このとき、ディスプレイ装置１００は、スマートテレビで実現されてよいが、それは一実施形態に過ぎず、スマートフォン、デスクトップ、タブレットパソコン、ノートパソコンなどのような多様な電子装置で実現されてよい。
【００３１】
ディスプレイ装置１００は、複数の電子装置と通信を行い、複数の電子装置それぞれの使用情報を受信することができる。特に、ディスプレイ装置１００は、複数の電子装置それぞれの使用情報に基づいて使用パターン情報を生成し、任意のイベントに対する可変的なＵＩ画面を構成してディスプレイすることができる。
【００３２】
具体的に、ディスプレイ装置１００は、複数の電子装置からそれぞれの使用情報を受信することができる。例えば、ディスプレイ装置１００は、午後９時から１０時の時間区間の間に冷蔵庫２０がオープンされる使用情報を受信するか、午後８時から９時までの時間区間の間に電話装置４０が０１０−ＸＸＸＸ−ＸＸＸＸの番号に発信された使用情報を受信することができる。
【００３３】
ディスプレイ装置１００は、受信された情報に応じて使用パターン情報を生成して複数の時間区間別に区分して保存することができる。例えば、午後９時から１０時までの時間区間の間に冷蔵庫２０がオープンされる使用情報が複数回累積され、使用パターン情報が生成されてよい。または、午後８時から９時までの時間区間の間に電話装置４０が０１０−ＸＸＸＸ−ＸＸＸＸの番号に複数回発信された使用パターン情報が生成されてよい。
【００３４】
ディスプレイ装置１００は任意のイベントが発生すると、イベントに対応する時間区間の使用パターン情報を検出することができる。例えば、任意のイベントは、午後９時になることで午後９時から１０時までの時間区間に突入するイベントであってよく、午後１０時から１１時までの時間区間の間にディスプレイ装置１００をターンオンするイベントであってよい。任意のイベントが発生した時間が午後９時３２分であるしたら、午後９時から１０時までの時間区間の使用パターン情報を検出することができる。使用パターン情報は、上述のように、冷蔵庫２０がオープンされるイベントであってよく、同一の電話番号に発信するイベントであってよい。または、生成された使用パターン情報がないため、検出されなくてよい。
【００３５】
ディスプレイ装置１００は、使用パターン情報の内容に応じて可変的なＵＩ画面を構成してディスプレイすることができる。例えば、午後９時から１０時までの時間区間の間にディスプレイ装置１００がターンオンされ、予め設定された時間以内に冷蔵庫２０がオープンされる使用パターン情報が生成されており、午後９時から１０時までの時間区間の間にディスプレイ装置が１００がターンオンされ、予め設定された時間以内に冷蔵庫２０がオープンされるイベントが発生すると、冷蔵庫２０に関連する広告コンテンツを含むＵＩ画面をディスプレイすることができる。または、特定時間区間の間に同一の電話番号に発信される使用パターン情報が生成されている場合、特定時間区間に突入すると、発信された電話番号を含むＵＩ画面をディスプレイすることもできる。
【００３６】
複数の電子装置は、デジタルドアロック１０、冷蔵庫２０、ノートパソコン３０、電話装置４０を含む。ただ、それに限定されずに、通信が可能な電子装置ならいずれも含んでよい。複数の電子装置は、有線または無線でディスプレイ装置１００と接続されてよい。なお、複数の電子装置は、ディスプレイ装置１００と直接接続されてよく、無線共有器などを通じて接続されてよい。複数の電子装置は、ディスプレイ装置１００と接続されてユーザの使用情報を伝送することができる。
【００３７】
複数の電子装置は、ユーザの使用情報をユーザの電子装置の使用がある場合、ディスプレイ装置１００は直ちに伝送されてよいが、ディスプレイ装置１００がターンオフされている場合には、電子装置そのものに保存していてよい。ただ、それは一実施形態に過ぎず、ディスプレイ装置１００がターンオフされている場合には、電子装置そのものに保存しなくてよい。
【００３８】
複数の電子装置は、ディスプレイ装置１００がターンオフされているか、使用情報を受信できない場合に、ユーザの使用情報を電子装置そのものに保存することができる。例えば、ディスプレイ装置１００がターンオフされている場合以外にも、複数の電子装置から同時に信号が受信されて受信が困難な場合か、一時的に通信機能に障害が起きた場合であってよい。このような場合に、電子装置が冷蔵庫２０と仮定すると、ユーザがドアをオープンすると冷蔵庫２０はどちらのドアが開けられたか、開けられた時間がいつか、冷蔵庫２０そのものに保存していてよい。その後、ディスプレイ装置１００が使用情報を受信することができる状況になると、複数の電子装置に使用情報を要請することができる。複数の電子装置は、ディスプレイ装置１００から使用情報を受信する場合、ディスプレイ装置１００に保存された使用情報を伝送し、伝送が完了すると保存された使用情報を削除することができる。以下では、ディスプレイ装置１００及び複数の電子装置が全てターンオンされていると仮定し、複数の電子装置の使用情報が発生すると直ちにディスプレイ装置１００に使用情報を伝送すると仮定して説明する。なお、複数の電子装置は、ディスプレイ装置１００と同一ネットワークに接続されたものと仮定して説明する。
【００３９】
上述のように、複数の電子装置から使用情報を受信して使用パターン情報を生成し、それに基づいてＵＩ画面をディスプレイすることで、ユーザの便宜性が向上する。
【００４０】
一方、上述の実施形態においては、時間区間を一時間単位として説明したが、それに限定されるものではなく、３０分単位または２時間単位であってよく、このような時間区間はユーザが設定することもできる。
【００４１】
図２Ａ及び図２Ｂは、本発明の一実施形態に係るディスプレイ装置１００の構成を示すブロック図である。
【００４２】
図２Ａによると、ディスプレイ装置１００は、ディスプレイ部１１０と、通信部１２０と、保存部１３０及び制御部１４０を含む。
【００４３】
一方、図２Ａは、ディスプレイ装置１００がディスプレイ機能、通信機能、保存機能などのように多様な機能を備えた装置である場合を例に挙げると、各種構成要素を総合的に示したものである。よって、実施形態によっては、図２Ａに示す構成要素のうちの一部は省略または変更されてよく、別の構成要素が更に追加されてよい。
【００４４】
ディスプレイ部１１０は、制御部１４０の制御によって映像データをディスプレイする。特に、ディスプレイ部１１０は一般的なコンテンツ情報の他にもユーザの使用パターン情報の内容に応じて可変的なＵＩ画面をディスプレイすることができる。
【００４５】
そして、ディスプレイ部１１０は、ＬＣＤ（Ｌｉｑｕｉｄ  Ｃｒｙｓｔａｌ  Ｄｉｓｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅｓ）などで実現されてよいが、それに限定されるわけではない。なお、ディスプレイ部１１０は、場合に応じてフレキシブルディスプレイ、透明ディスプレイなどで実現することも可能である。
【００４６】
通信部１２０は、複数の電子装置と通信を行う。
【００４７】
具体的に、通信部１２０は、複数の電子装置から使用情報を受信する。
【００４８】
受信される使用情報は、ユーザの電子装置の使用情報及び時間情報であってよい。特に、ユーザの電子装置の使用情報は各電子装置の特性に応じて異なってよい。例えば、電話機の場合、ユーザが発信をしたか受信をしたかや、電話番号が使用情報であってよく、デジタルドアロック１０の場合はオープンされた時間が使用情報であってよい。
【００４９】
一方、通信部１２０は、複数の電子装置と単方向または双方向通信を行うことができる。単方向通信を行う場合、通信部１２０は複数の電子装置から信号を受信することができる。双方向通信を行う場合、通信部１２０は複数の電子装置から信号を受信することもでき、複数の電子装置に信号を送信することもできる。
【００５０】
保存部１３０は、ディスプレイ装置１００を駆動するための多様なプログラム及びデータを保存している。特に、保存部１３０は、ユーザの複数の電子装置の使用情報が保存されてよく、保存された使用情報に基づいて生成された使用パターン情報が保存されてよい。
【００５１】
制御部１４０は、ユーザ命令に応じてディスプレイ装置１００の動作全般を制御する。特に、制御部１４０は、任意のイベントに応じて使用パターン情報に基づいてディスプレイ装置１００の動作全般を制御する。
【００５２】
具体的に、制御部１４０は、複数の電子装置と通信を行い、複数の電子装置それぞれの使用情報を受信するように通信部１２０を制御し、受信された使用情報に応じて生成される使用パターン情報を複数の時間区間別に区分して保存部１３０に保存するように制御することができる。
【００５３】
制御部１４０は任意のイベントが発生すると、イベントに対応する時間区間の使用パターン情報を保存部１３０から検出し、使用パターン情報の内容に応じて可変的なＵＩ画面を構成してディスプレイ部１１０にディスプレイすることができる。
【００５４】
なお、制御部１４０は、複数の電子装置のうち、同一の電子装置から使用情報が予め設定された回数以上に複数回伝送されると、複数回伝送された使用情報に基づいて電子装置の使用パターン情報を生成することができる。
【００５５】
そして、複数の電子装置はデジタルドアロック１０及び家電製品を含み、使用パターン情報は、デジタルドアロック１０のオープン時間から予め設定された第１時間以内に家電製品が使用されるパターンを記録した情報であり、制御部１４０は、デジタルドアロック１０がオープンされた後、第１時間以内に家電製品が使用されるイベントが発生すると、家電製品に関連する広告コンテンツを含むＵＩ画面をディスプレイすることができる。
【００５６】
なお、家電製品が冷蔵庫２０である場合、制御部１４０は、デジタルドアロック１０がオープンされた後、第１時間以内に冷蔵庫２０がオープンされて冷蔵庫２０の特定区域に対する利用事実が検知されると、区域内に配置された製品に対する広告コンテンツをディスプレイすることができる。
【００５７】
そして、複数の電子装置は電話装置４０を含み、使用パターン情報は、特定時間区間の間に電話装置４０が同一の連絡先に予め設定された回数以上発信された履歴を記録した情報であり、制御部１４０は、特定時間区間が到来すると、連絡先を含むＵＩ画面をディスプレイすることができる。
【００５８】
なお、複数の電子装置は、デジタルドアロック１０及び電話装置４０を含み、使用パターン情報は、デジタルドアロック１０のオープン時間から予め設定された第１時間以内にディスプレイ装置１００がターンオンされるパターンを記録した情報であり、制御部１４０は、デジタルドアロック１０がオープンされた後、予め設定された第１時間以内にディスプレイ装置１００がターンオンされるイベントが発生すると、電話装置４０の留守電情報を含むＵＩ画面をディスプレイすることができる。
【００５９】
そして、制御部１４０は、ディスプレイ装置１００がターンオンされる度に、複数の電子装置に新規使用情報を要請し、新規使用情報を受信して保存することができる。
【００６０】
なお、制御部１４０は、複数の電子装置から新規使用情報が受信される際にディスプレイされていたコンテンツのメタデータと新規使用情報とをマッチングさせて保存することができる。
【００６１】
図２Ｂは、本発明の別の実施形態に係るディスプレイ装置１００’の細部構成を示すブロック図である。図２Ｂによると、ディスプレイ装置１００’はディスプレイ部１１０、通信部１２０、保存部１３０、制御部１４０、ユーザインターフェース部１５０、オーディオ処理部１６０、ビデオ処理部１７０、スピーカ１８０、ボタン１８２、カメラ１８２、マイク１８３を含む。図２Ｂに示す構成要素のうち、図２Ａに示す構成要素と重複する部分については詳細な説明を省略する。
【００６２】
制御部１４０は、保存部１３０に保存された各種プログラムを用いてディスプレイ装置１００の動作を全体的に制御する。
【００６３】
具体的に、制御部１４０は、ＲＡＭ１４１、ＲＯＭ１４２、メインＣＰＵ１４３、グラフィック処理部１４４、第１にないし第ｎインターフェース１４５−１〜１４５−ｎ、バス１４６を含む。
【００６４】
ＲＡＭ１４１、ＲＯＭ１４２、メインＣＰＵ１４３、グラフィック処理部１４４、第１にないし第ｎインターフェース１４５−１〜１４５−ｎなどは、バス１４６を介して相互接続されてよい。
【００６５】
第１にないし第ｎインターフェース１４５−１〜１４５−ｎは、上述の各種構成要素と接続される。インターフェースのうちの１つは、ネットワークを介して外部装置と接続されるネットワークインターフェースであってよい。
【００６６】
メインＣＰＵ１４３は、保存部１３０にアクセスし、保存部１３０に保存されたＯ／Ｓを用いてブートを行う。そして、保存部１３０に保存された各種プログラムなどを用いて多様な動作を行う。
【００６７】
ＲＯＭ１４２には、システムブートのための命令語セットなどが保存される。ターンオン命令が入力されて電源が供給されると、メインＣＰＵ１４３はＲＯＭ１４２に保存された命令語に応じて保存部１３０に保存されたＯ／ＳをＲＡＭ１４１にコピーし、Ｏ／Ｓを実行させてシステムをブートさせる。ブートが完了すると、メインＣＰＵ１４３は保存部１３０に保存された各種アプリケーションプログラムをＲＡＭ１４１にコピーし、ＲＡＭ１４１にコピーされたアプリケーションプログラムを実行させて各種動作を行う。
【００６８】
グラフィック処理部１４４は、演算部（図示せず）及びレンダリング部（図示せず）を用いて、アイコン、イメージ、テキストなどのような多様な客体を含む画面を生成する。演算部（図示せず）は、受信された制御命令に基づいて画面のレイアウトに応じて各客体が表示される座標値、形、大きさ、カラーなどのような属性値を演算する。レンダリング部（図示せず）は、演算部（図示せず）で演算した属性値に基づいて客体を含む多様なレイアウトの画面を生成する。レンダリング部（図示せず）で生成された画面はディスプレイ部１１０のディスプレイ領域内に表示される。
【００６９】
一方、上述の制御部１４０の動作は、保存部１３０に保存されたプログラムによって行われてよい。
【００７０】
保存部１３０は、ディスプレイ装置１００を駆動させるためのＯ／Ｓ（Ｏｐｅｒａｔｉｎｇ  Ｓｙｓｔｅｍ）ソフトウェアモジュール、各種使用情報、各種使用パターン情報などのような多様なデータを保存する。
【００７１】
この場合、制御部１４０は、保存部１３０に保存された情報に基づいて可変的なＵＩ画面をディスプレイすることができる。
【００７２】
ユーザインターフェース部１５０は、多様なユーザインタラクション（ｉｎｔｅｒａｃｔｉｏｎ）を受信する。ここで、ユーザインターフェース部１５０は、ディスプレイ装置１００の実現例によって多様な形態で実現可能である。ディスプレイ装置１００がデジタルテレビで実現される場合、ユーザインターフェース部１５０は遠隔制御装置からリモコン信号を受信するリモコン受信部、ユーザモーションを検知するカメラ、ユーザ音声を受信するマイクなどで実現可能である。なお、ディスプレイ装置１００がタッチ基盤の携帯端末で実現される場合、ユーザインターフェース部１５０はタッチパッドと相互レイヤ構造をなすタッチスクリーン形態で実現されてよい。この場合、ユーザインターフェース部１５０は上述のディスプレイ部１１０として使用されてよい。
【００７３】
オーディオ処理部１６０は、オーディオデータに対する処理を行う構成要素である。オーディオ処理部１６０では、オーディオデータに対するデコードや増幅、ノイズフィルタリングなどのような多様な処理が行われてよい。
【００７４】
ビデオ処理部１７０は、ビデオデータに対する処理を行う構成要素である。ビデオ処理部１７０ではビデオデータに対するデコード、スケーリング、ノイズフィルタリング、フレームレート変換、解像度変換などのような多様なイメージ処理を行うことができる。
【００７５】
スピーカ１８０は、オーディオ処理部１６０で処理された各種オーディオデータだけでなく、各種報知音や音声メッセージなどを出力する構成要素である。
【００７６】
ボタン１８１は、ディスプレイ装置１００の本体外観の前面部や側面部、背面部などの任意の領域に形成された機械的なボタン、タッチパッド、ホイールなどのような多様な類型のボタンであってよい。
【００７７】
カメラ１８２は、ユーザの制御によって、静止映像または動画を撮像するための構成である。カメラ１８２は、前面カメラ、背面カメラのように複数個で実現されてよい。マイク１８３は、ユーザ音声やその他の音を受信してオーディオデータに変換するための構成である。
【００７８】
以下では、本発明の理解を促すための基本構成と多様な実施形態について説明する。
【００７９】
図３Ａ及び図３Ｂは、本発明の一実施形態に係る使用パターン情報を生成することを説明するための図である。
【００８０】
図３Ａは、本発明の一実施形態に係る冷蔵庫２０が使用情報をディスプレイ装置１００に伝送することを説明するための図である。冷蔵庫２０は、ホームバー２１、左ドア２２及び右ドア２３を含み、図３Ａには、ホームバー２１がオープンされた状態を示している。ユーザがホームバー２１をオープンする場合、冷蔵庫２０はホームバー２１がオープンされた時間とホームバー２１がオープンされた使用情報とをディスプレイ装置１００に伝送することができる。または、冷蔵庫２０は、リアルタイムでホームバー２１がオープンされたことをディスプレイ装置１００に伝送し、ディスプレイ装置１００は冷蔵庫２０から受信した信号に基づいて信号を受信した時間とともにホームバー２１がオープンされたことを保存することができる。
【００８１】
一方、図３Ａにおいて、冷蔵庫２０は３つのドアがあることを仮定しているが、それに限定されるわけではなく、より多くのドアがあってよい。なお、冷蔵庫２０は使用情報を保存していて、予め設定された時間間隔に応じて使用情報をディスプレイ装置１００に伝送することもできる。
【００８２】
図３Ｂは、本発明の一実施形態に係るユーザの冷蔵庫２０の使用情報を示す表である。図３Ｂによると、１０：００ＡＭから０３：００ＰＭの間に冷蔵庫２０の使用情報が保存されており、それは冷蔵庫２０そのものに保存されていてよく、ディスプレイ装置１００に保存されていてよい。ただ、図３Ｂは、５時間にわたるデータのみを保存していることを仮定しているが、より長い時間にわたってデータが保存されることが通常であり、以下ではディスプレイ装置１００で保存しているものを仮定して説明する。
【００８３】
表１の第１列３１０はユーザの冷蔵庫の使用時間を示す。表の第２列３２０は冷蔵庫の具体的な使用情報を示すものとして、オープンされたドアの情報を示す。図３Ｂでは、左ドア２２が１回、右ドア２３が１回及びホーム２１が５回オープンされたことを仮定している。特に、ホームバー２１がオープンされた時間が０２：００ＰＭから０３：００ＰＭの間であり、このような使用情報を通して制御部１４０は使用パターン情報を生成することができる。
【００８４】
具体的に、制御部１４０は、複数の電子装置のうち、同一の電子装置から特定時間区間の間に使用情報が予め設定された回数以上に複数回伝送されると、複数回伝送された使用情報に基づいて電子装置の使用パターン情報を生成することができる。例えば、図３Ｂのように、複数の電子装置のうち、冷蔵庫２０から０２：００ＰＭから０３：００ＰＭの間にホームバー２１がオープンされる使用情報が受信され、予め設定された回数が５回と仮定すると、制御部１４０は０２：００ＰＭから０３：００ＰＭの間にホームバー２１がオープンされる使用パターン情報を生成するようになる。
【００８５】
このような使用パターン情報が生成されると、制御部１４０は使用パターン情報に基づいて可変的なＵＩ画面を構成してディスプレイすることができる。例えば、０２：００ＰＭになるイベントが発生し、０２：００ＰＭから０３：００ＰＭまでの時間区間の間に、上述の使用パターン情報が存在する場合、制御部１４０はホームバー２１内にある飲みものに関連する広告コンテンツを含むＵＩ画面を構成してディスプレイすることができる。それに関連する具体的な説明は後述することとする。
【００８６】
一方、以上では、冷蔵庫２０を例えて説明したが、通信が可能な電子装置なら別の実施形態も可能である。なお、別の電子装置の場合、ディスプレイ装置１００に伝送される使用情報は別の情報であってよい。例えば、デジタルドアロック１０の場合、オープンされる時間及び暗証番号を誤って入力した場合の情報などがディスプレイ装置１００に伝送されてよい。
【００８７】
なお、以上では、０２：００ＰＭから０３：００ＰＭまでの１時間を時間区間として説明したが、別の時間区間を設定することも可能である。例えば、３０分単位で時間区間が設定されており、予め設定された回数が５回なら、図３Ｂの場合には、使用パターン情報が生成されなくてよい。そして、予め設定された回数を自由に設定することも可能である。そして、時間情報に追加的に日付情報及び曜日情報が更に保存されてよい。
【００８８】
なお、使用パターン情報は予め設定された回数以上に使用情報が伝送された場合に生成するものとして説明したが、それに限定されるものではない。例えば、一定期間に対する使用情報の比率で使用パターン情報が生成されてよい。一日中５回以上使用される場合、使用パターン情報が生成される構成も可能である。この場合、毎日累積的に使用情報が保存され、使用情報が始めて保存された日から現在の時点までの日数で使用情報の数を分けて一日に何回利用されたかを計算することができる。計算された値に基づいて予め設定された回数以上の場合、使用パターン情報が生成される構成も可能である。
【００８９】
そして、使用情報のみに基づくことなく使用パターン情報を生成することで、ユーザにより信頼度の高いＵＩ画面を提供することができるようになる。使用パターン情報の生成なしに、全ての使用情報に基づいてＵＩ画面を構成してディスプレイする場合、例えば夜中５時にビールを飲むために、ホームバー２１を開けたとしても、このような記録もＵＩ画面を構成するための利用されてよい。そして、制御部１４０は、夜中５時にホームバー２１内にある飲みものに関連する広告コンテンツを含むＵＩ画面を構成してディスプレイするようになってよい。よって、使用パターン情報を生成してよりユーザの要求に合致するＵＩ画面を提供することができるようになる。
【００９０】
以下では、生成された使用パターン情報に基づいてＵＩ画面を構成する方法を具体的に説明する。
【００９１】
図４は、本発明の一実施形態に係るＵＩ画面を構成する方法を説明するための図である。図４によると、使用パターン情報はデジタルドアロック１０がオープンされた後、予め設定された時間以内に家電製品が使用されるパターン情報であってよい。特に、図４は、使用される家電製品が冷蔵庫２０であると仮定したが、それについては後述するとし、まずは家電製品が使用されるものとして説明する。
【００９２】
まず、デジタルドアロック１０がオープンされると、デジタルドアロック１０はディスプレイ装置１００にオープンされた時間を伝送することができる。そして、家電製品が使用されると、家電製品はディスプレイ装置１０に使用情報を伝送することができる。使用情報が伝送されると、制御部１４０はデジタルドアロック１０がオープンされた時間から予め設定された時間内かを判断する。判断結果、予め設定された時間内に家電製品が使用された場合なら、家電製品に関連する広告コンテンツを含むＵＩ画面をディスプレイすることができる。家電製品に関連する広告コンテンツは家電製品そのものの広告コンテンツであってよく、家電製品に関連する商品の広告コンテンツであってよい。
【００９３】
図４のように、家電製品が冷蔵庫２０である場合、制御部１４０は、デジタルドアロック１０がオープンされた後、予め設定された時間以内に冷蔵庫２０がオープンされて冷蔵庫２０の特定区域に対する利用事実が検知することができる。この場合、制御部１４０は、利用された特定区域内に配置された製品に対する広告コンテンツをディスプレイすることができる。特定区域内に配置された製品がビールである場合、制御部１４０はビール広告をＵＩ画面で構成してディスプレイすることができる。
【００９４】
一方、任意のイベントは特定時間区間が到来するものとして説明したが、図４では、任意のイベントが使用パターン情報に基づくものとして説明した。すなわち、使用パターン情報はデジタルドアロック１０がオープンされた後、予め設定された時間以内に家電製品が使用されるパターン情報であり、このような使用パターン情報に基づいて同一の使用パターンが発生する場合も任意のイベントになってよい。
【００９５】
なお、任意のイベントまたは使用パターン情報は、複数の電子装置の相互作用でも発生することができる。図４では、デジタルドアロック１０と冷蔵庫２０との相互作用で発生するものとして説明したが、それに限定されるものではない。例えば、ノートパソコン３０を用いた時間から予め設定された時間以内に電話装置４０を利用する場合、それによる使用パターン情報が生成されたり、任意のイベントが発生してよい。
【００９６】
図５Ａ乃至図５Ｃは、本発明の一実施形態に係る電話装置４０によるＵＩ画面を構成する方法を説明するための図である。
【００９７】
図５Ａは、本発明の一実施形態に係る電話装置４０の使用を示す図である。ユーザが電話装置４０を使用する場合、電話装置４０は使用時間５１０、種類５２０及び連絡先５３０をディスプレイ装置１００に伝送する。例えば、ユーザが特定番号に電話を発信する場合、電話装置４０は使用時間５１０として９月１２日の０６：００ＰＭを、種類５２０として発信を、連絡先５３０として０１０−ＡＡＡＡ−ＡＡＡＡの使用情報をディスプレイ装置１００に伝送することができる。
【００９８】
図５Ｂは、本発明の一実施形態に係る電話装置４０の使用情報を示す表である。ディスプレイ装置１００は、電話装置４０から受信された使用情報を保存していてよい。受信された使用情報は、使用時間５１０、種類５２０及び連絡先５３０であってよいが、それに限定されるものではない。例えば、テレビ電話か音声電話か否か、連絡先に該当する名前などが更に含まれてよい。
【００９９】
制御部１４０は、受信された使用情報に基づいて使用パターン情報を生成することができる。例えば、制御部１４０は、特定時間区間の間に電話装置４０が同一の連絡先に予め設定された回数以上発信された履歴がある場合、このような履歴を使用パターン情報として生成してよい。
【０１００】
図５Ｂにおいて、時間区間を３０分を基準とし、予め設定された回数を３回に仮定する。この場合、０６：００ＰＭ〜０６：３０ＰＭの時間区間の間に０１０−ＡＡＡＡ−ＡＡＡＡへの発信が３回で、特定時間区間の間に電話装置４０が同一の連絡先に予め設定された回数以上発信された履歴があって、制御部１４０はこのような履歴を使用パターン情報として生成することができる。生成されるパターン情報は、０６：００ＰＭ〜０６：３０ＰＭの時間区間の間の０１０−ＡＡＡＡ−ＡＡＡＡへの発信情報である。
【０１０１】
図５Ｃは、本発明の一実施形態に係るＵＩ画面を説明するための図である。図５Ｃによると、制御部１４０は、任意のイベントが発生することで可変的なＵＩ画面をディスプレイすることができる。任意のイベントは、０６：００ＰＭになって特定時間区間に突入するものであってよい。
【０１０２】
任意のイベントが発生する場合、制御部１４０はイベントに対応する時間区間の使用パターン情報を検出し、それにより、０６：００ＰＭ〜０６：３０ＰＭの時間区間の間の０１０−ＡＡＡＡ−ＡＡＡＡへの発信情報が検出される。制御部１４０は、検出された使用パターン情報に基づいて連絡先を含むＵＩ画面をディスプレイすることができる。ＵＩ画面は、ディスプレイ装置１００のユーザの視聴妨害を最小限化するために、ディスプレイ部１１０全体にディスプレイされることなく、一部分にのみディスプレイされてよい。
【０１０３】
一方、上述の実施形態においては、連絡先のみがディスプレイされるものとして説明したが、それに限定されるものではない。例えば、使用パターン情報に予め設定された回数以上に発信された連絡先が家族の連絡先に該当する場合、全ての家族の連絡先をＵＩ画面でディスプレイすることもでき、デリバリーサービスの連絡先に該当する場合、関連するデリバリーサービスの連絡先をディスプレイすることもできる。
【０１０４】
なお、上述の実施形態では、電話装置４０の使用時間が使用情報として保存されたものとして説明したが、それに限定されるわけではない。例えば、電話装置４０の使用時間に該当する時間区間が保存されてよい。
【０１０５】
図６は、本発明の一実施形態に係る複数の電子装置の相互作用によるＵＩ画面を生成する方法を説明するための図である。図６によると、ＵＩ提供システムはディスプレイ装置１００の他に複数の電子装置としてデジタルドアロック１０及び電話装置４０を含んでよい。デジタルドアロック１０がオープンされると、それによる使用情報がディスプレイ装置１００に伝送される。ただ、ディスプレイ装置１００がターンオフされているか、通信に障害が生じて使用情報を受信できない場合、デジタルドアロック１０は使用情報を保存していることができる。以下では、ディスプレイ装置１００がターンオフされているとして説明を進める。
【０１０６】
その後、ディスプレイ装置１００がターンオンされる場合、上述のように、ディスプレイ装置１００は複数の電子装置に使用情報を要請し、複数の電子装置から使用情報を受信することができる。デジタルドアロック１０はディスプレイ装置１００の使用情報要請に応じて保存していた使用情報をディスプレイ装置１００に伝送することができる。なお、電話装置４０は、ディスプレイ装置１００がターンオフされている間の留守電情報を保存していてからディスプレイ装置１００に伝送することができる。
【０１０７】
ディスプレイ装置１００は、デジタルドアロック１０がオープンされた時間からディスプレイ装置１００がターンオンされた時間が予め設定された時間内かを判断し、予め設定された時間内の場合、ディスプレイ装置１００とデジタルドアロック１０とを関連付けた使用情報を保存することができる。具体的に、デジタルドアロック１０のみの使用情報ではないデジタルドアロック１０の使用情報とディスプレイ装置１００の使用情報とを連携して保存することもできる。なお、このような使用情報が予め設定された回数以上に保存される場合、制御部１４０は使用パターン情報を生成することができる。
【０１０８】
デジタルドアロック１０がオープンされた後、予め設定された時間以内にディスプレイ装置１００がターンオンされるイベントが発生すると、制御部１４０は使用パターン情報を検出し、検出された使用パターン情報に基づいてＵＩ画面を構成してディスプレイすることができる。例えば、上述のイベントが発生することで、制御部１４０は電話装置４０から受信された留守電情報をＵＩ画面に含めてディスプレイすることができる。
【０１０９】
一方、図６では、留守電情報として連絡先と連絡がきた時間とを表示するものとして表現されているが、それに限定されるものではない。例えば、連絡先に該当する名前などが更に表示されてよい。
【０１１０】
図７は、本発明の一実施形態に係るエアコン５０によるＵＩ画面を構成する方法を説明するための図である。図７によると、ユーザがエアコン５０を使用する場合、エアコン５０は使用された時間と現在環境情報及び設定情報などをディスプレイ装置１００に伝送することができる。または、エアコン５０は、使用情報を保存していてから、予め設定された時間間隔に応じて使用情報をディスプレイ装置１００に伝送することもできる。それにより、制御部１４０は、エアコン５０に対する使用パターン情報を生成することができる。使用パターン情報の生成に関連する部分について既に説明しているため、省略する。
【０１１１】
使用パターン情報が０２：００ＰＭから０３：００ＰＭまでの間にエアコン５０が使用される使用パターン情報と仮定すると、制御部１４０は使用パターン情報に基づいて可変的なＵＩ画面を構成してディスプレイすることができる。例えば、０２：００ＰＭになるイベントが発生し、０２：００ＰＭから０３：００ＰＭまでの時間区間の間に上述の使用パターン情報が存在する場合、制御部１４０はエアコン５０の設定情報及び環境情報などを含むＵＩ画面をディスプレイすることができる。環境情報は、天気、風向、風速などを含んでよい。ユーザは、ディスプレイ装置１００が提供する可変的なＵＩ画面を介してエアコンを使用するようになる。なお、ディスプレイ装置１００はＵＩ画面とともにエアコン５０を遠隔制御装置などを介して制御することができるＵＩを提供することもできる。
【０１１２】
図８は、本発明の一実施形態に係る掃除機６０によるＵＩ画面を構成する方法を説明するための図である。図８によると、ユーザが掃除機６０を使用する場合、掃除機６０は使用された時間と使用された場所情報などをディスプレイ装置１００に伝送することができる。または、掃除機６０は、使用情報を保存していてから、予め設定された時間間隔に応じて使用情報をディスプレイ装置１００に伝送することもできる。それにより、制御部１４０は、掃除機６０に対する使用パターン情報を生成することができる。使用パターン情報の生成に関連する部分について既に説明しているため、省略する。
【０１１３】
使用パターン情報が０２：１０ＰＭから０２：１８ＰＭまでの間に掃除機６０が使用される使用パターン情報と仮定すると、制御部１４０は使用パターン情報に基づいて可変的なＵＩ画面を構成してディスプレイすることができる。例えば、時間区間が１時間単位と仮定すると、０２：００ＰＭになるイベントが発生し、０２：００ＰＭから０３：００ＰＭまでの時間区間の間に上述の使用パターン情報が存在する場合、制御部１４０は掃除機６０の使用された時間と使用された場所などを含むＵＩ画面をディスプレイすることができる。ユーザは、ディスプレイ装置１００が提供する可変的なＵＩ画面を介して掃除機６０を使用するようになる。
【０１１４】
図９は、本発明の一実施形態に係る新規使用情報を要請する過程を説明するためのシーケンス図である。図９によると、ディスプレイ装置１００がターンオンされると（Ｓ９１０）、制御部１４０は複数の電子装置に使用情報を要請するようになる（Ｓ９２０）。複数の電子装置はディスプレイ装置１００と同一のネットワークにある電子装置である。
【０１１５】
複数の電子装置は、ディスプレイ装置１００から使用情報要請がある場合、ディスプレイ装置１００がターンオフされている間に保存しておいた使用情報をディスプレイ装置１００に伝送する（Ｓ９３０）。ただ、複数の電子装置のうち、保存機能のない電子装置の場合には、使用情報を伝送しなくてよい。なお、使用情報はそれぞれの電子装置に応じてそれぞれ異なってよい。
【０１１６】
ディスプレイ装置１００は、複数の電子装置から使用情報を受信して保存する（Ｓ９４０）。新規使用情報は、従来保存されている使用情報に累積的に保存されてよい。例えば、ノートパソコンのインターネット利用時間が９：００ＰＭ〜９：３０ＯＭの間に一週間平均５回という使用情報が保存されている場合、同一の使用情報が新規で受信されると、制御部１４０はノートパソコンのインターネット利用時間が０９：００ＰＭ〜０９：３０ＰＭの間に一週間平均６回に使用情報を変更することができる。
【０１１７】
一方、図９においては、ディスプレイ装置１００がターンオフされている間に、複数の電子装置から使用情報を受信できないと仮定したが、それに限定されるものではない。例えば、ディスプレイ装置１００が電源供給されているとしたら、ターンオフされていても、複数の電子装置から使用情報を受信することも可能である。
【０１１８】
なお、ディスプレイ装置１００は、複数の電子装置から使用情報を受信する場合、複数の電子装置に使用情報が受信されたことを通知する信号を伝送することができる。複数の電子装置は、使用情報が発生する場合、ディスプレイ装置１００に直ちに伝送するが、それに対する応答がない場合に、使用情報を複数の保存装置それぞれに保存していることができる。一方、複数の電子装置は、ディスプレイ装置１００から使用情報が受信されたことを通知する信号を受信する場合、伝送した使用情報を削除することができる。
【０１１９】
図１０は、本発明の一実施形態に係る使用情報を保存する方法を説明するための図である。図１０によると、ディスプレイ装置１００は、新規使用情報を複数の電子装置から受信する（Ｓ１０１０）。そして、新規使用情報が受信されると、受信された際にディスプレイ装置１００がコンテンツをディスプレイするかを判断する（Ｓ１０２０）。ディスプレイ装置１００がコンテンツをディスプレイしていなかったり、単に待ち受け画面の状態でいる場合、制御部１４０は受信された新規使用情報を保存する（Ｓ１０４０）。
【０１２０】
一方で、新規使用情報が受信される際、ディスプレイ装置１００が特定コンテンツをディスプレイしている場合、制御部１４０は特定コンテンツのメタデータと受信された新規使用情報とをマッチングさせて保存する（Ｓ１０３０）。例えば、冷蔵庫２０からホームバー２１がオープンされる使用情報が使用時間とともに受信され、ディスプレイ装置１００は映画コンテンツをディスプレイしている場合、制御部１４０はディスプレイされる映画コンテンツのジャンル、解像度などのメタデータと冷蔵庫２０のホームバー２１がオープンされる使用情報とをマッチングさせて保存することができる。
【０１２１】
なお、同一の使用情報が類似するメタデータが予め設定された回数以上保存される場合、制御部１４０は使用パターン情報を生成することができる。それにより、特定時間区間の間に冷蔵庫２０のホームバー２１がオープンされるイベントが発生すると、制御部１０４はマッチングされて保存さえたメタデータに基づいて関連するコンテンツを提供するＵＩ画面をディスプレイすることができる。例えば、マッチングされて保存されたメタデータのうちのジャンルがホラー映画ジャンルである場合、制御部１４０はホラー映画ジャンルに該当するコンテンツのリストを最新アップデート順に表示されたＵＩ画面をユーザに提供することができる。
【０１２２】
図１１は、本発明の一実施形態に係るディスプレイ装置１００のＵＩ提供方法を説明するための図である。図１１によると、ディスプレイ装置１００は複数の電子装置と通信を行い、複数の電子装置それぞれの使用情報を受信する（Ｓ１１１０）。そして、使用情報に応じて生成される使用パターン情報を複数の時間区間別に区分して保存する（Ｓ１１２０）。複数の時間区間は製造元によって予め設定されてよく、ユーザによって設定することも可能である。なお、複数の時間区間は複数の電子装置ごとに異なってよい。
【０１２３】
そして、任意のイベントが発生すると、イベントに対応する時間区間の使用パターン情報を検出する（Ｓ１１３０）。使用パターン情報がない場合、ディスプレイ装置１００はＵＩ画面をディスプレイしなくてよい。そして、使用パターン情報の内容に応じて可変的なＵＩ画面を構成してディスプレイする（Ｓ１１４０）。
【０１２４】
一方、ディスプレイ装置１００は、複数の電子装置のうち、同一の電子装置から特定時間区間の間に使用情報が予め設定された回数以上に複数回伝送されると、複数回伝送された使用情報に基づいて電子装置の使用パターン情報を生成することができる。
【０１２５】
そして、複数の電子装置は、デジタルドアロック１０及び家電製品を含み、使用パターン情報は、デジタルドアロック１０のオープン時間から予め設定された第１時間以内に家電製品が使用されるパターンを記録した情報であり、ＵＩ画面を構成してディスプレイするステップ（Ｓ１１４０）は、デジタルドアロック１０がオープンされた後、第１時間以内に家電製品が使用されるイベントが発生すると、家電製品に関連する広告コンテンツを含むＵＩ画面をディスプレイすることができる。
【０１２６】
なお、家電製品が冷蔵庫２０である場合、ＵＩ画面を構成してディスプレイするステップ（Ｓ１１４０）、デジタルドアロック１０がオープンされた後、第１時間以内に冷蔵庫２０がオープンされて冷蔵庫２０の特定区域に対する利用事実が検知されると、区域内に配置された製品に対する広告コンテンツをディスプレイすることができる。
【０１２７】
そして、複数の電子装置は、電話装置４０を含み、使用パターン情報は、特定時間区間の間に電話装置４０が同一の連絡先に予め設定された回数以上発信された履歴を記録した情報であり、ＵＩ画面を構成してディスプレイするステップ（Ｓ１１４０）は、特定時間区間が到来すると、連絡先を含むＵＩ画面をディスプレイすることができる。
【０１２８】
なお、複数の電子装置は、デジタルドアロック１０及び電話装置４０を含み、使用パターン情報は、デジタルドアロック１０のオープン時間から予め設定された第１時間以内にディスプレイ装置１００がターンオンされるパターンを記録した情報であり、ＵＩ画面を構成してディスプレイするステップ（Ｓ１１４０）は、デジタルドアロック１０がオープンされた後、予め設定された第１時間以内にディスプレイ装置１００がターンオンされるイベントが発生すると、電話装置４０の留守電情報を含むＵＩ画面をディスプレイすることができる。
【０１２９】
そして、使用パターン情報を保存するステップは、ディスプレイ装置１００がターンオンされる度に、複数の電子装置に新規使用情報を要請し、新規使用情報を受信して保存することができる。
【０１３０】
なお、使用パターン情報を保存するステップは、複数の電子装置から新規使用情報が受信される際にディスプレイされていたコンテンツのメタデータと新規使用情報とをマッチングさせて保存することができる。
【０１３１】
図１２は、本発明の一実施形態に係る可変的なＵＩ画面をディスプレイする方法を説明するためのシーケンス図である。
【０１３２】
まず、複数の電子装置はディスプレイ装置１００に電子装置の使用情報を伝送する（Ｓ１２１０）。複数の電子装置は、ユーザが電子装置を使用する即時使用情報を伝送することもでき、使用情報を電子装置内部に保存していてから予め設定された時間が到来したら伝送することもできる。
【０１３３】
ディスプレイ装置１００は、受信された使用情報に基づいて使用パターン情報を生成する（Ｓ１２２０）。使用パターン情報は、それぞれの電子装置に対して同一の使用情報が予め設定された回数以上受信される場合に生成されてよい。ここで、予め設定された回数はユーザが設定することができる。
【０１３４】
そして、ディスプレイ装置１００は、生成された使用パターン情報を複数の時間区間別に区分して保存する（Ｓ１２３０）。複数の時間区間は、１時間単位か２時間単位であってよいが、それに限定されるものではない。例えば、分単位で時間区間が区分されていてよく、ユーザによって時間区間が設定されてよく、時間区間の間隔も全て異なってよい。
【０１３５】
ディスプレイ装置１００は、使用パターン情報を保存していてから特定イベントが発生することを検知することができる（Ｓ１２４０）。特定ディスプレイ装置１００は、直接イベントの発生を検知することもできるが、複数の電子装置がイベントを検知してディスプレイ装置１００は複数の電子装置からイベントが発生したことを受信することもできる。
【０１３６】
イベントは、特定時間区間への突入であってよく、この場合、ディスプレイ装置１００は直接イベントの発生を検知することができる。なお、イベントは複数の電子装置の使用によって発生することができる。例えば、デジタルドアロックがオープンされた後、予め設定された時間以内に冷蔵庫がオープンされるイベントであってよい。この場合に、ディスプレイ装置１００は、冷蔵庫がオープンされる使用情報を冷蔵庫から受信してイベントが発生していることを検知することができる。
【０１３７】
イベントが発生すると、ディスプレイ装置１００はイベント発生時間に対応する時間区間を判断する（Ｓ１２５０）。そして、ディスプレイ装置１００は判断された時間区間内に使用パターン情報を検出する（Ｓ１２６０）。使用パターン情報が検出されない場合、ディスプレイ装置１００はイベント発生に対応する動作を行わなくてよい。
【０１３８】
使用パターン情報が検出される場合、ディスプレイ装置１００は使用パターン情報及びイベント内容に応じて可変的なＵＩ画面を構成し（Ｓ１２７０）、構成されたＵＩ画面をディスプレイする（Ｓ１２８０）。可変的なＵＩ画面は、電子装置に関連する情報が含まれたＵＩ画面であってよい。
【０１３９】
図１３ないし図１５においては、図１２の可変的なＵＩ画面をディスプレイする方法をより具体的に説明するための図である。それにより、図１２と重複部分についての説明は省略する。
【０１４０】
図１３は、本発明の一実施形態に係るデジタルドアロック１０と冷蔵庫２０とを用いた可変的なＵＩ画面をディスプレイする方法を説明するための図である。図１３によると、デジタルドアロック１０はデジタルドアロックがオープンされると（Ｓ１３１０）、オープンされたという情報と時間情報とを使用情報としてディスプレイ装置１００に伝送する（Ｓ１３２０）。
【０１４１】
そして、冷蔵庫２０は冷蔵庫がオープンされると（Ｓ１３３０）、冷蔵庫のいずれのドアがオープンされたかに対する情報と時間情報とを使用情報としてディスプレイ装置１００に伝送する（Ｓ１３４０）。
【０１４２】
ディスプレイ装置１００は、受信された使用情報に基づいて使用パターン情報があるかを検出する。特に、デジタルドアロック１０がオープンされた時間から冷蔵庫２０がオープンされた時間が予め設定された時間以内である場合、それに関連する使用パターン情報を検出する。
【０１４３】
上述の使用パターン情報がある場合、ディスプレイ装置１００は冷蔵庫のオープンされたドア情報に基づいてオープンされたドアの区域内に配置された商品に対する広告コンテンツをディスプレイする（Ｓ１３５０）。例えば、オープンされたドアが冷凍庫であり、冷凍庫に冷凍ギョーザや冷凍ピザなどが配置されている場合、ディスプレイ装置１００はユーザに提供することができる広告コンテンツのうち、冷凍庫に配置されている製品に対する広告コンテンツを提供することができる。ただ、それに限定されるわけではなく、無作為に或るひとつの製品に対する広告コンテンツをディスプレイすることもできる。
【０１４４】
図１４は、本発明の一実施形態に係る電子装置４０を用いた可変的なＵＩ画面をディスプレイする方法を説明するための図である。
【０１４５】
電子装置４０は、ディスプレイ装置１００に使用情報を伝送する（Ｓ１４１０−１〜Ｓ１４１０−ｎ）。例えば、使用情報は、ユーザが電話装置４０を用いて特定番号に発信する情報であってよく、または、特定番号から受信される情報であってよい。
【０１４６】
それにより、ディスプレイ装置１００は、使用パターン情報を生成する（Ｓ１４２０）。図１４に示していないが、使用パターン情報は時間区間別に生成されてよい。例えば、ユーザが０９：００ＰＭ〜１０：００ＰＭの時間区間に繰り返しデリバリーを注文する発信をした場合、このような使用情報に基づいて使用パターン情報が生成されてよい。
【０１４７】
そして、特定イベントが発生すると（Ｓ１４３０）、ディスプレイ装置１００は連絡先を含むＵＩ画面をディスプレイする（Ｓ１４４０）。上述のように、特定イベントは時間区間に突入するものであってよい。例えば、０９：００ＰＭになると、ディスプレイ装置１００は繰り返し発信されたデリバリー料理の連絡先を含むＵＩ画面をディスプレイすることができ、または、発信されたデリバリー料理の連絡先だけでなく、別のデリバリー料理の連絡先を更に含むＵＩ画面をディスプレイすることもできる。
【０１４８】
図１５は、本発明の一実施形態に係るデジタルドアロック１０と電話装置４０とを用いた可変的なＵＩ画面をディスプレイする方法を説明するための図である。図１５によると、まず、デジタルドアロック１０がオープンされる（Ｓ１５１０）。そして、ディスプレイ装置１００がターンオンされる（Ｓ１５２０）。ディスプレイ装置１００がターンオンされると、ディスプレイ装置１００はデジタルドアロック１０と電話装置４０とに使用情報を要請する（Ｓ１５３０−１、Ｓ１５３０−２）。図１５では、ディスプレイ装置１００がターンオンされる場合、使用情報を要請するものとして示したが、ディスプレイ装置１００がターンオフされているとしても、電源供給になっている場合なら、複数の電子装置から使用情報を受信していることもできる。
【０１４９】
ディスプレイ装置１００の要請により、デジタルドアロック１０及び電話装置４０はディスプレイ装置１００に使用情報を伝送する（Ｓ１５４０−１、Ｓ１５４０−２）。デジタルドアロック１０の使用情報はデジタルドアロック１０のオープン時間などであってよい。電話装置４０の使用情報は受発信時間、連絡先であってよい。
【０１５０】
使用情報が受信されると、ディスプレイ装置１００はデジタルドアロック１０がオープンされたことからユーザが不在であると判断することができる。具体的に、デジタルドアロック１０は、ユーザが外出中か、帰宅しているかの使用情報をディスプレイ装置１００に提供することもできる。
【０１５１】
そして、ディスプレイ装置１００は、ユーザが帰宅したことで使用情報を受信した場合、電話装置４０から受信された使用情報を留守電情報と判断する。それにより、ディスプレイ装置１００は、電話装置４０の留守電情報を含むＵＩ画面をディスプレイする（Ｓ１５５０）。ただ、それに限定されるものではなく、デジタルドアロック１０がオープンされた後、予め設定された時間以内にディスプレイ装置１００がターンオンされない場合には、ディスプレイ装置１００はＵＩ画面をディスプレイしなくてよい。すなわち、デジタルドアロック１０がオープンされた後、予め設定された時間以内にディスプレイ装置１００がターンオンされた場合にのみ、ユーザが電話装置４０を直ちに確認しなかったと判断し、ディスプレイ装置１００は電話装置４０の留守電情報を含むＵＩ画面をディスプレイすることができる。
【０１５２】
以上のように、本発明の多様な実施形態によると、ディスプレイ装置１００は複数の電子装置に関連する使用情報に基づいて生成された使用パターン情報に応じてユーザに多様なＵＩ画面を提供することができるようになり、ユーザの便宜性が向上する。
【０１５３】
一方、このような多様な実施形態に係る方法は、プログラミングされて各種保存媒体に保存されてよい。それにより、保存媒体を実行する多様な電子装置で上述の多様な実施形態による方法が実現されてよい。
【０１５４】
具体的に、本発明の一実施形態によると、複数の電子装置と通信を行い、複数の電子装置それぞれの使用情報を受信するステップと、使用情報に応じて生成される使用パターン情報を複数の時間区間別に区分して保存するステップと、任意のイベントが発生すると、イベントに対応する時間区間の使用パターン情報を検出するステップと、使用パターン情報の内容に応じて可変的なＵＩ画面を構成してディスプレイするステップを順次に行うプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１５５】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１５６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2017529621.tif 000003
【図２Ａ】
2017529621.tif 000004
【図２Ｂ】
2017529621.tif 000005
【図３Ａ】
2017529621.tif 000006
【図３Ｂ】
2017529621.tif 000007
【図４】
2017529621.tif 000008
【図５Ａ】
2017529621.tif 000009
【図５Ｂ】
2017529621.tif 000010
【図５Ｃ】
2017529621.tif 000011
【図６】
2017529621.tif 000012
【図７】
2017529621.tif 000013
【図８】
2017529621.tif 000014
【図９】
2017529621.tif 000015
【図１０】
2017529621.tif 000016
【図１１】
2017529621.tif 000017
【図１２】
2017529621.tif 000018
【図１３】
2017529621.tif 000019
【図１４】
2017529621.tif 000020
【図１５】
2017529621.tif 000021
【国際調査報告】
2017529621.tif 000022
2017529621.tif 000023